(57)【要約】【課題】保護者はいつでも幼児等の幼児施設内での様子等の情報を容易に得ることができ、不慣れな保護者にも取り扱いやすい幼児施設の情報伝達システムを提供する。【解決手段】アタッチメント５を携帯電話３に接続し、携帯電話３をインターネット２を介して画像配信サイトに接続させると、携帯電話３は幼児施設実況画像の配信を受けられる。同様にして、携帯電話３をインターネット２を介して掲示板サイトに接続させると、幼児施設側からの連絡事項を携帯電話３で閲覧可能とし、また保護者側からの連絡事項を携帯電話３により連絡掲示板サイトに書き込み可能とする。【選択図】  図１
2004199326.tif 000002
【特許請求の範囲】
【請求項１】
乳児又は幼児（幼児等という）を保育又は教育のために保護者から預かる保育園、幼稚園等の幼児施設において、幼児等の活動の様子を撮影した幼児施設実況画像を配信可能とする、通信ネットワークに接続された幼児施設画像配信サイトと、
その幼児施設画像配信サイトのＵＲＬ等の場所データ（サイト場所データという）を記憶し、前記通信ネットワークに接続可能な携帯端末に接続可能なアタッチメントであって、その携帯端末との接続状態で前記サイト場所データを前記携帯端末に供給して該携帯端末を前記通信ネットワークを介して前記幼児施設画像配信サイトに接続させ、これにより該携帯端末が前記幼児施設実況画像の配信を受けるようにするアタッチメントと、
を含むことを特徴とする幼児施設の情報伝達システム。
【請求項２】
乳児又は幼児（幼児等という）を保育又は教育のために保護者から預かる保育園、幼稚園等の幼児施設において、幼児等とその保護者との連絡のための、幼児施設側からの書き込み及び読み出し並びに保護者側からの読み出し及び書き込みが可能な、通信ネットワークに接続された連絡掲示板サイトと、
その連絡掲示板サイトのＵＲＬ等の場所データ（サイト場所データという）を記憶し、前記通信ネットワークに接続可能な携帯端末に接続可能なアタッチメントであって、その携帯端末との接続状態で前記サイト場所データを前記携帯端末に供給して該携帯端末を前記通信ネットワークを介して前記連絡掲示板サイトに接続させ、これにより幼児施設側からの連絡事項を前記携帯端末で閲覧可能とし、また保護者側からの連絡事項を該携帯端末により前記連絡掲示板サイトに書き込み可能とするアタッチメントと、
を含むことを特徴とする幼児施設の情報伝達システム。
【請求項３】
乳児又は幼児（幼児等という）を保育又は教育のために保護者から預かる保育園、幼稚園等の幼児施設において、幼児等の活動の様子を撮影した幼児施設実況画像を配信可能とする、通信ネットワークに接続された幼児施設画像配信サイトと、
前記幼児施設において幼児等とその保護者との連絡のための、幼児施設側からの書き込み及び読み出し並びに保護者側からの読み出し及び書き込みが可能な、通信ネットワークに接続された連絡掲示板サイトと、
前記幼児施設画像配信サイトのＵＲＬ等の場所データ（サイト場所データという）及び前記連絡掲示板サイトのＵＲＬ等のサイト場所データをそれぞれ記憶し、前記通信ネットワークに接続可能な携帯端末に接続可能なアタッチメントであって、前記幼児施設画像配信サイト用の第１の操作手段と前記連絡掲示板サイト用の第２の操作手段とを備え、該第１の操作手段の操作に基づき前記携帯端末との接続状態で前記幼児施設画像配信サイトのサイト場所データを前記携帯端末に供給して該携帯端末を前記通信ネットワークを介して前記幼児施設画像配信サイトに接続させ、これにより該携帯端末が前記幼児施設実況画像の配信を受けるようにする一方、前記第２の操作手段の操作に基づき前記携帯端末との接続状態で前記連絡掲示板サイトのサイト場所データを前記携帯端末に供給して該携帯端末を前記通信ネットワークを介して前記連絡掲示板サイトに接続させ、これにより幼児施設側からの連絡事項を前記携帯端末で閲覧可能とし、また保護者側からの連絡事項を該携帯端末により前記連絡掲示板サイトに書き込み可能とするアタッチメントと、
を含むことを特徴とする幼児施設の情報伝達システム。
【請求項４】
前記連絡掲示板サイトは、幼児施設側から特定の保護者側へ書き込まれたメッセージについてその特定の保護者のみが閲覧可能であり、また特定の保護者側から幼児施設側へ書き込まれたメッセージは他の保護者の閲覧が不能とされて幼児施設側からの閲覧のみが可能であるように、各保護者の自己証明データとそれぞれ対応付けて保護者ごとに所定のサイトエリアが割り当てられたプライベート掲示板サイトとされている請求項２又は３に記載の幼児施設の情報伝達システム。
【請求項５】
前記連絡掲示板サイトは、幼児施設側に対してそれぞれの保護者ごとに書き込まれたプライベートな掲示板データである各メッセージを、前記通信ネットワークに接続可能な幼児施設側の端末において、全体として一覧表示するファイルに変換して読み出す表示変換手段を備える請求項２ないし４のいずれか１項に記載の幼児施設の情報伝達システム。
【発明の詳細な説明】
【０００１】
【発明の属する技術分野】
本発明は、乳児又は幼児（幼児等という）を保育又は教育のために保護者から預かる保育園、幼稚園等の幼児施設において利用可能な情報伝達システムに関する。
【０００２】
【従来の技術】
このような幼児施設に幼児等を預けている場合、保護者が幼児等の施設内での様子（活動状況、健康状態等）や施設での出来事を知ったり、幼児等に関する連絡事項を伝えたりするには、従来では、その施設に電話をかけて担当の保育士等と直接話をする以外に適切な情報伝達の手段がなかった。
【０００３】
【発明が解決しようとする課題】
近年、携帯電話の通信機能を利用して電子メールの送受信ができるようになり、施設側と保護者側とで相互に携帯電話のメールアドレスを通知してあれば、そのアドレスに宛ててメールのやりとりを行うことが可能となった。しかし、このような方法は個人的・個別的な情報伝達の域を出るものではなく、施設側にしてみれば、多くの保護者からの問い合わせや連絡に対してその都度個別に応答しなければならず、本来の保育、教育に支障を来すおそれがある。また、保護者側にしてみれば、いつでも情報（施設側からの連絡事項等）を入手できるわけではないという不満が残る。とりわけ携帯電話のメール操作に慣れない保護者にとってはその積極的な利用には躊躇してしまうケースが多い。また、施設側のメールアドレスを広く一般に公開してしまうと、保護者以外の第三者が不正にアクセスしてメールを読み取るおそれがあり、幼児等の安全が脅かされる事態も予測される。
【０００４】
この発明の課題は、保護者はいつでも幼児等の幼児施設内での様子等の情報を容易に得ることができ、不慣れな保護者にも取り扱いやすい幼児施設の情報伝達システムを提供することにある。
【０００５】
【課題を解決するための手段及び発明の効果】
この発明の幼児施設の情報伝達システムは、
乳児又は幼児（幼児等という）を保育又は教育のために保護者から預かる保育園、幼稚園等の幼児施設において、幼児等の活動の様子を撮影した幼児施設実況画像を配信可能とする、通信ネットワークに接続された幼児施設画像配信サイトと、
その幼児施設画像配信サイトのＵＲＬ等の場所データ（サイト場所データという）を記憶し、前記通信ネットワークに接続可能な携帯端末に接続可能なアタッチメントであって、その携帯端末との接続状態で前記サイト場所データを前記携帯端末に供給して該携帯端末を前記通信ネットワークを介して前記幼児施設画像配信サイトに接続させ、これにより該携帯端末が前記幼児施設実況画像の配信を受けるようにするアタッチメントと、
を含むことを特徴とする。
【０００６】
このように、携帯電話等の携帯端末の接続端子にアタッチメントを接続するこことにより、アタッチメントに記憶されていた幼児施設画像配信サイトのサイト場所データを携帯端末に供給し、携帯端末をそのサイトに接続できるため、保護者は、いちいちキー操作でそのサイト場所データ（アドレスデータ）を入力する必要がない。したがって、携帯端末をインターネット等の通信ネットワークを介して幼児施設画像配信サイトへ簡単に接続できるので、情報的知識が乏しく又不慣れな保護者でも、携帯端末を通じて容易に幼児施設内での幼児等の活動の様子を幼児施設実況画像として知ることができる。また、保護者はいつでも、また自宅、勤め先等の場所を問わず、この幼児施設実況画像の配信を受けることができ、幼児等の様子をリアルタイムで視覚的に確認できるため、安心して幼児等を施設に預けることができる。
なお、アタッチメントに設けられたスイッチ等を押すという所定の操作をすることにより携帯端末を幼児施設画像配信サイトに接続することができる。また、父母の他に、遠隔地に住む祖父母等の親戚にもこのような幼児施設実況画像を提供し、幼児等の活動の様子を知らせることができる。
【０００７】
また、この発明の幼児施設の情報伝達システムは、
乳児又は幼児（幼児等という）を保育又は教育のために保護者から預かる保育園、幼稚園等の幼児施設において、幼児等とその保護者との連絡のための、幼児施設側からの書き込み及び読み出し並びに保護者側からの読み出し及び書き込みが可能な、通信ネットワークに接続された連絡掲示板サイトと、
その連絡掲示板サイトのＵＲＬ等の場所データ（サイト場所データという）を記憶し、前記通信ネットワークに接続可能な携帯端末に接続可能なアタッチメントであって、その携帯端末との接続状態で前記サイト場所データを前記携帯端末に供給して該携帯端末を前記通信ネットワークを介して前記連絡掲示板サイトに接続させ、これにより幼児施設側からの連絡事項を前記携帯端末で閲覧可能とし、また保護者側からの連絡事項を該携帯端末により前記連絡掲示板サイトに書き込み可能とするアタッチメントと、
を含むことを特徴とする。
【０００８】
このように、携帯電話等の携帯端末の接続端子にアタッチメントを接続するこことにより、アタッチメントに記憶されていた連絡掲示板サイトのサイト場所データを携帯端末に供給し、携帯端末をそのサイトに接続できるため、保護者は、いちいちキー操作でそのサイト場所データ（アドレスデータ）を入力する必要がない。したがって、携帯端末をインターネット等の通信ネットワークを介して連絡掲示板サイトへ簡単に接続できるので、情報的知識が乏しく又不慣れな保護者でも、携帯端末を通じて容易に幼児施設側からの連絡事項を確認することができる。また、保護者はいつでも、また自宅、勤め先等の場所を問わず、幼児施設側で書き込まれたメッセージを閲覧したり自己のメッセージを書き込んだりすることができ、安心して幼児等を施設に預けることができる。
なお、アタッチメントに設けられたスイッチ等を押すという所定の操作をすることにより携帯端末を連絡掲示板サイトに接続することができる。
【０００９】
さらに、この発明の幼児施設の情報伝達システムは、
乳児又は幼児（幼児等という）を保育又は教育のために保護者から預かる保育園、幼稚園等の幼児施設において、幼児等の活動の様子を撮影した幼児施設実況画像を配信可能とする、通信ネットワークに接続された幼児施設画像配信サイトと、
前記幼児施設において幼児等とその保護者との連絡のための、幼児施設側からの書き込み及び読み出し並びに保護者側からの読み出し及び書き込みが可能な、通信ネットワークに接続された連絡掲示板サイトと、
前記幼児施設画像配信サイトのＵＲＬ等の場所データ（サイト場所データという）及び前記連絡掲示板サイトのＵＲＬ等のサイト場所データをそれぞれ記憶し、前記通信ネットワークに接続可能な携帯端末に接続可能なアタッチメントであって、前記幼児施設画像配信サイト用の第１の操作手段と前記連絡掲示板サイト用の第２の操作手段とを備え、該第１の操作手段の操作に基づき前記携帯端末との接続状態で前記幼児施設画像配信サイトのサイト場所データを前記携帯端末に供給して該携帯端末を前記通信ネットワークを介して前記幼児施設画像配信サイトに接続させ、これにより該携帯端末が前記幼児施設実況画像の配信を受けるようにする一方、前記第２の操作手段の操作に基づき前記携帯端末との接続状態で前記連絡掲示板サイトのサイト場所データを前記携帯端末に供給して該携帯端末を前記通信ネットワークを介して前記連絡掲示板サイトに接続させ、これにより幼児施設側からの連絡事項を前記携帯端末で閲覧可能とし、また保護者側からの連絡事項を該携帯端末により前記連絡掲示板サイトに書き込み可能とするアタッチメントと、
を含むことを特徴とする。
【００１０】
このように、携帯電話等の携帯端末の接続端子にアタッチメントを接続し、アタッチメントの第１の操作手段を操作すれば携帯端末を幼児施設画像配信サイトに接続でき、また第２の操作手段を操作すれば連絡掲示板サイトに接続できるので、情報的知識が乏しく又不慣れな保護者でも、携帯端末を通じて容易に幼児施設実況画像と幼児施設側からの連絡事項とを選択して見ることができる。また、保護者はいつでも、また自宅、勤め先等の場所を問わず、これらの幼児施設実況画像や連絡事項を見て幼児等の様子を確認し、あるいは自己のメッセージを保護者側からの連絡事項として書き込んだりすることができ、安心して幼児等を施設に預けることができる。
【００１１】
そして、この情報伝達システムで用いられる連絡掲示板サイトは、幼児施設側から特定の保護者側へ書き込まれたメッセージについてその特定の保護者のみが閲覧可能であり、また特定の保護者側から幼児施設側へ書き込まれたメッセージは他の保護者の閲覧が不能とされて幼児施設側からの閲覧のみが可能であるように、各保護者の自己証明データとそれぞれ対応付けて保護者ごとに所定のサイトエリアが割り当てられたプライベート掲示板サイトとされているのが望ましい。このような保護者照合機能を付加すれば、特定の保護者宛てに書き込まれた幼児施設側からの連絡事項（メッセージ）や幼児施設側宛てに書き込まれた特定の保護者からの連絡事項を、他の保護者に知られることなく伝達できるので、プライバシーを保ちつつよりきめ細やかな育児、教育が実現できる。また、保護者以外の第三者が不正にこのようなプライバシーを含む連絡事項（書き込みメッセージ）を覗いたりすることが防止できるので、幼児等の安全が確保され安心である。
【００１２】
さらに、連絡掲示板サイトは、幼児施設側に対してそれぞれの保護者ごとに書き込まれたプライベートな掲示板データである各メッセージを、通信ネットワークに接続可能な幼児施設側の端末において、全体として一覧表示するファイルに変換して読み出す表示変換手段を備えることができる。幼児施設側においては、保護者側からの連絡事項（書き込みメッセージ）を一覧表示して一括閲覧できるので、多くの保護者からのメッセージを見落とさずに一斉確認できる。そして、応答が必要なメッセージにのみ返信メッセージを書き込めばよいので、保護者側からの連絡事項に対してその都度個別に応答せずともすみ、本来の保育、教育に専念できる。
【００１３】
【発明の実施の形態】
以下、図面に示す実施例を参照しつつこの発明の実施の形態を説明する。
図１は、本発明に係る幼児施設の情報伝達システムの全体的な概念を説明するもので、インターネット２（通信ネットワーク）に接続されたサーバ１（幼児施設側端末でもある）は、その内部にデータベース記憶エリアとして、幼児施設画像配信サイト（以下、画像配信サイトともいう）と連絡掲示板サイト（以下、掲示板サイトともいう）とを備えている。このインターネット２に、保護者側端末としての携帯電話３（携帯端末）が接続できるようになっている。この携帯電話３は、インターネット２を通じてサーバ１の画像配信サイト又は掲示板サイトにアクセスすることができる。
【００１４】
携帯電話３にはアタッチメント５が装着可能となっている。このアタッチメント５は、多数の保護者が各自所持する携帯電話３のいずれとも接続することができる。ただし、個々のアタッチメント５は後述する保護者照合機能を有するために、アタッチメント５に接続予定の携帯電話３と携帯電話番号が一致しない場合には、サーバ１（画像配信サイト及び掲示板サイト）にアクセスすることができない。
【００１５】
このようなアタッチメント５を携帯電話３に接続し、携帯電話３をインターネット２を介して画像配信サイトに接続させると、携帯電話３は幼児施設実況画像の配信を受けられる。同様にして、携帯電話３をインターネット２を介して掲示板サイトに接続させると、幼児施設側からの連絡事項を携帯電話３で閲覧可能とし、また保護者側からの連絡事項を携帯電話３により連絡掲示板サイトに書き込み可能とする。
【００１６】
また、幼児施設内における幼児の活動の様子を撮影するために１又は複数のインターネットカメラ６（ネットワークカメラ；撮像手段）が備えられ、その画像データが専用無線回線及びＩ／Ｏポート７を介して幼児施設側端末１（例えばパーソナルコンピュータ）に入力されている。この画像データは幼児施設側端末１によって画像処理され、幼児施設実況画像として上記画像配信サイトに供給される。なお、画像データは動画、静止画いずれを扱ってもよく、ここにはＭＰＥＧ−４等の画像圧縮技術が用いられる。また、幼児施設に教室、遊戯室、食堂等複数の部屋がある場合には、インターネットカメラ６を各室毎に１台以上設置し、カメラレンズの向きを周期的にスイング（首振り）させて、幼児ができるだけ均等に撮影されるようにするのが望ましい。
【００１７】
図２は、画像配信サイト及び掲示板サイトを構成するサーバ１の内容を概念的に示すものである。ＨＤＤ１２には、上記連絡掲示板（書き込みエリア）に書き込まれたメッセージを幼児ごとに記憶しておくために、幼児Ａ用掲示板記憶部１２ａ，幼児Ｂ用掲示板記憶部１２ｂ，…等を有している。またＲＯＭ１０には、アタッチメント５を介して保護者の携帯電話３から要求されたときに、幼児施設実況画像を保護者の携帯電話３に送信する画像配信プログラム１０ａ、アタッチメント５を介して保護者側からの連絡事項を携帯電話３で閲覧又は書き込み可能とし、かつ幼児施設側からの連絡事項を幼児施設側端末１で閲覧又は書き込み可能とする掲示板送受信プログラム１０ｂ、掲示板サイトに記憶された各メッセージを一覧表示するファイルに変換する表示変換プログラム１０ｃ（表示変換手段）等が記憶されている。ＲＡＭ１１はワークメモリとして機能し、必要なデータを一時的に記憶する。なお、１３は掲示板サイトの連絡事項（書き込みメッセージ）を幼児施設側端末１で閲覧するための表示装置である。
【００１８】
図３（ａ）は、携帯電話３とアタッチメント５との接続関係を示している。図３（ｂ）に示すように、アタッチメント５は、本体１５、その一端に設けられた接続端子１６、本体１５に設けられたアイキャッチボタン１７（第１の操作手段）、コミュニケーションボタン１８（第２の操作手段）、さらに接続状態でロックする爪２０を解除するために押されるロック解除ボタン１９、ボタン１７又は１８が押されアタッチメント５により所定の処理がされている状態で点灯するランプ２１を備えている。携帯電話３は通常のもので、アタッチメント５の接続端子１６と互いに接続する接続端子２８を備えている。逆に言えば、携帯電話３の接続端子２８に装着可能なように、アタッチメント５の接続端子１６が形成される。
【００１９】
図４は、携帯電話３とアタッチメント５のそれぞれの回路構成を簡単に示すものである、アタッチメント５の接続端子１６は、Ｉ／Ｏポート２２、バス２３を介してＣＰＵ２４、ＲＯＭ２５及びＲＡＭ２６とに接続されている。ＲＡＭ２６には、画像配信サイトのアドレス（ＵＲＬ）を記憶する記憶部２６ａ、掲示板サイトのアドレス（ＵＲＬ）を記憶する記憶部２６ｂ、保護者側の携帯電話３の電話番号（携帯番号ともいう）を記憶する記憶部２６ｃ等を備えている。
【００２０】
ＲＯＭ２５には、アタッチメント５が携帯電話３に接続された状態でアイキャッチボタン１７が押されることにより画像配信サイトのアドレスを画像配信サイトのアドレス記憶部２６ａから読み出して画像配信サイトへ自動送信する接続プログラム２５ａ、さらに、コミュニケーションボタン１８が押されることにより掲示板サイトのアドレスを同様にして掲示板サイトへ自動送信する接続プログラム２５ｂ等が記憶されている。
【００２１】
一方、携帯電話３は通常の公知のものであるため詳しい説明はしないが、接続端子２８はＩ／Ｏポート２９を介してＣＰＵ３０、ＲＯＭ３１及びＲＡＭ３２に接続され、また表示画面３３や入力キー３４等の制御部もこれらに接続されている。ＲＡＭ３２にはこの携帯電話番号を記憶する記憶部３２ａ、この携帯電話３のメールアドレスを記憶する記憶部３２ｂを少なくとも備え、携帯電話３に通常備えられる要素として、表示画面３３、入力キー３４、マイク３５、スピーカ３６、発信・受信部３７及びアンテナ３８を備えている。
【００２２】
アタッチメント５の接続端子１６と携帯電話３の接続端子２８とが接続した状態で、アタッチメント５のアイキャッチボタン１７が押されれば、ＣＰＵ２４（送信指令手段）は画像配信サイト接続プログラム２５ａを起動し、ＲＡＭ２６の画像配信サイトのアドレス記憶部２６ａのデータを、携帯電話３のＲＡＭ３２のワークエリアに送信し、携帯電話３のＣＰＵ３０は、その画像配信サイトのアドレスを発信・受信部３７、アンテナ３８を介して所定の基地局に送信し、インターネット２を介してそれが画像配信サイトに送信されることとなる。また、アタッチメント５の接続端子１６と携帯電話３の接続端子２８とが接続した状態で、アタッチメント５のコミュニケーションボタン１８が押されれば、ＣＰＵ２４（送信指令手段）は掲示板サイト接続プログラム２５ｂを起動し、ＲＡＭ２６の掲示板サイトのアドレス記憶部２６ｂのデータを、携帯電話３のＲＡＭ３２のワークエリアに送信し、携帯電話３のＣＰＵ３０は、その掲示板サイトのアドレスを発信・受信部３７、アンテナ３８を介して所定の基地局に送信し、インターネット２を介してそれが掲示板サイトに送信されることとなる。なお、入力キー３４を入力操作することにより画像配信サイト（又は掲示板サイト）のアドレスを入力すれば、そのデータが一旦ＲＡＭ３２のワークエリアに一時記憶され、携帯電話３の送信機能によってもこれを送信することができるが、アタッチメント５を使用することで、その入力操作が省略できる。
【００２３】
図５は、画像配信サイトから携帯電話３に幼児施設実況画像データを配信する際の処理を示すフローチャートである。保護者側の携帯電話３とアタッチメント５とをそれぞれの接続端子１６及び２８を介して接続し、アタッチメント５のアイキャッチボタン１７がＯＮになった（ボタンが押されている）かどうかを判断する（Ｓ１）。アイキャッチボタン１７がＯＮの場合には、上記した画像配信サイト接続プログラム２５ａを起動して、携帯電話３がインターネット２を介して画像配信サイトに接続される（Ｓ２）。そして、アタッチメント５に記憶されている保護者の携帯電話３の番号を記憶部２６ｃから読み出すとともに（Ｓ３）、現在アタッチメント５に接続されている携帯電話の番号を記憶部３２ａから読み出す（Ｓ４）。
【００２４】
そして、読み出されたアタッチメント５に記憶されている携帯電話３の番号と、実際に接続されている携帯電話の番号とが一致するかどうかを判断（保護者照合機能）して（Ｓ５）、両者の電話番号が一致した場合には、携帯電話３のメールアドレスを記憶部３２ｂから読み込んで（Ｓ６）、その読み込んだメールアドレスへ幼児施設実況画像データをリアルタイムで送信する（Ｓ７）。すると、アタッチメント５に接続された保護者側の携帯電話３の表示画面３３に図７（ａ）に示すような幼児施設実況画像表示画面が表示される。一方、Ｓ５の判断において、携帯電話の番号が一致しない場合には、無効処理（例えば、画像表示不可能であることを通知する）を行い（Ｓ８）、そのまま画像配信処理を終了する。
【００２５】
図６は、掲示板サイトと携帯電話３又は幼児施設側端末１との間で連絡事項（メッセージ）を送受信する際の処理を示すフローチャートである。ここではまず、掲示板サイトと幼児Ａの保護者側の携帯電話３との間での連絡事項の送受信について説明する。携帯電話３とアタッチメント５とをそれぞれの接続端子１６及び２８を介して接続し、アタッチメント５のコミュニケーションボタン１８がＯＮになった（ボタンが押されている）かどうかを判断する（Ｓ１１）。コミュニケーションボタン１８がＯＮの場合には、上記した掲示板サイト接続プログラム２５ｂを起動して、携帯電話３がインターネット２を介して掲示板サイトに接続される（Ｓ１２）。そして、アタッチメント５に記憶されている保護者の携帯電話３の番号を記憶部２６ｃから読み出すとともに（Ｓ１３）、現在アタッチメント５に接続されている携帯電話の番号を記憶部３２ａから読み出す（Ｓ１４）。
【００２６】
そして、読み出されたアタッチメント５に記憶されている携帯電話３の番号と、実際に接続されている携帯電話の番号とが一致するかどうかを判断して（Ｓ１５）、両者の電話番号が一致した場合には、携帯電話３のメールアドレスを記憶部３２ｂから読み込み（Ｓ１６）、幼児Ａの掲示板記憶部１２ａのデータを読み込む（Ｓ１７）。次いで、図７（ｂ）に示す携帯電話３の表示画面３３上にて書き込みと閲覧（読み出し）とのうちいずれかを選択する（Ｓ１８）。このとき「書込」を選択した場合には、携帯電話３の表示画面３３が書き込み画面（連絡掲示板）となる。そこで、保護者側から幼児施設側へのメッセージ（連絡事項等）を図７（ｃ）に示す如く掲示板記憶部１２ａに書き込み記憶させる（Ｓ１９）。
【００２７】
一方、Ｓ１８において「閲覧」を選択した場合には、掲示板記憶部１２ａに書き込まれた内容（幼児施設側からの連絡事項）が、保護者側の携帯電話３の表示画面３３に図７（ｄ）に示す如く閲覧画面として表示される。なお、Ｓ１５の判断において、携帯電話の番号が一致しない場合には、無効処理（例えば、閲覧画面表示不可能であることを通知する）を行い（Ｓ２１）、そのまま掲示板送受信処理を終了する。
【００２８】
図６には、幼児施設側端末から掲示板サイトにアクセスする場合についても記載されている。図６のＳ１１においてＮＯの場合、幼児施設側端末から掲示板サイトにアクセスされていれば（Ｓ２２でＹＥＳ）、表示変換プログラム１０ｃが起動して、掲示板サイトに記憶された各メッセージを図８に示すように幼児施設側端末１の表示装置１３（図２）に一覧表示する（Ｓ２３）。ここで、幼児Ａを選択すると既述のＳ１７以降の処理がなされ、表示装置１３には、図７（ｃ）（ｄ）と同様の画面が表示される。ただし、この場合の幼児施設側端末１の表示装置１３では、図７（ｃ）が閲覧画面となり、図７（ｄ）が書き込み画面となる。
【００２９】
なお、画像配信サイト接続プログラム２５ａ（図５のＳ２）において、画像配信サイトのアドレス記憶部２６ａのデータを携帯電話３のＲＡＭ３２のワークエリアに一次記憶する代わりに、ＲＯＭ３１に記憶させれば、次回以降の操作ではアタッチメント５を携帯電話３に接続しなくても、携帯電話３の入力キー３４を押すことで画像配信サイトに接続できる場合がある。掲示板サイト接続プログラム２５ｂ（図５のＳ１２）においても同様である。
【００３０】
次に、図９は図２の変形例を示す概念図である。図９において、幼児施設側端末４（例えばパーソナルコンピュータ）がサーバ１とは別に設けられ、インターネット２と接続できるようになっている。つまり、サーバ１（画像配信サイト及び掲示板サイト）は幼児施設側端末４とは独立して遠隔地に存在するケースに当たり、幼児施設側端末４はインターネット２を通じ主として掲示板サイトにアクセスすることができる。すなわち、幼児施設側端末４には、ＣＰＵ４３、ＲＯＭ４４、ＲＡＭ４５、ＨＤＤ（大容量記憶装置）４６等が備えられ、Ｉ／Ｏポート４１及びバス４２を介してインターネット２に接続されている。
【００３１】
また、幼児施設内における幼児の活動の様子を撮影するために１又は複数のインターネットカメラ６（ネットワークカメラ；撮像手段）が備えられ、その画像データが専用無線回線及び入力インターフェース４７を介して幼児施設側端末４に入力されている。この画像データは幼児施設側端末４のＣＰＵ４３等によって画像処理され、幼児施設実況画像としてインターネット２を通じて上記画像配信サイトに供給される。なお、符号４４ａで示されるように、上記表示変換プログラムは幼児施設側端末４のＲＯＭ４４に格納しておくことができる。
【００３２】
なお、本発明の幼児施設の情報伝達システムでは、携帯電話の他にＰＨＳ，ＰＤＡ等の携帯端末を使用可能である。
【図面の簡単な説明】
【図１】本発明に係る幼児施設の情報伝達システムの概念図。
【図２】図１のサーバの内容を説明する概念図。
【図３】携帯電話とアタッチメントとの接続関係を示す図。
【図４】携帯電話とアタッチメントの回路構成を示す概念図。
【図５】画像配信プログラムの内容を説明するフローチャート。
【図６】掲示板送受信プログラムの内容を説明するフローチャート。
【図７】携帯電話の表示画面の一例を示す図。
【図８】連絡掲示板一覧表示画面の一例を示す図。
【図９】図２の変形例を説明する概念図。
【符号の説明】
１    サーバ（幼児施設画像配信サイト、連絡掲示板サイト）
２    インターネット（通信ネットワーク）
３    携帯電話（携帯端末）
４    幼児施設側端末
５    アタッチメント
６    インターネットカメラ（ネットワークカメラ；撮像手段）
１７  アイキャッチボタン（第１の操作手段）
１８  コミュニケーションボタン（第２の操作手段）
【図１】
2004199326.tif 000003
【図２】
2004199326.tif 000004
【図３】
2004199326.tif 000005
【図４】
2004199326.tif 000006
【図５】
2004199326.tif 000007
【図６】
2004199326.tif 000008
【図７】
2004199326.tif 000009
【図８】
2004199326.tif 000010
【図９】
2004199326.tif 000011